(57)【要約】コンタクトレンズを清浄および湿潤させるための水性組成物であって：少なくとも約１８のＨＬＢ値を有する、非アミンポリエチレンオキシ含有物質；ポロキサミンを含むコンタクトレンズ沈積物に対する清浄活性を有する、第１の非イオン性界面活性剤；ｃ）コンタクトレンズ沈積物に対する清浄活性を有し、かつ非ポロキサミン界面活性剤を含む、第２の非イオン性界面活性剤；および湿潤剤を含む、組成物、ならびに該組成物を使用してコンタクトレンズを清浄する、方法。【特許請求の範囲】
【請求項１】
コンタクトレンズを清浄および湿潤させるための水性組成物であって、以下：
（ａ）少なくとも約１８のＨＬＢ値を有する、非アミンポリエチレンオキシ含有物質；
（ｂ）ポロキサミンを含む、コンタクトレンズ沈積物に対する清浄活性を有する第１の非イオン性界面活性剤；
（ｃ）コンタクトレンズ沈積物に対して清浄活性を有し、かつ非ポロキサミン界面活性剤を含む、第２の非イオン性界面活性剤；および
（ｄ）湿潤剤
を含む、組成物。
【請求項２】
請求項１に記載の組成物であって、以下：
（ａ）約０．００１〜約１０重量％の、非アミンポリエチレンオキシ含有物質であって、少なくとも約１８のＨＬＢ値を有する、物質；
（ｂ）コンタクトレンズ沈積物に対する清浄活性を有する、約０．００１〜約５重量％の第１の非イオン性界面活性剤；
（ｃ）コンタクトレンズ沈積物に対する清浄活性を有する、約０．００１〜約５重量％の第２の非イオン性界面活性剤；および
（ｄ）約０．１〜約１０重量％の湿潤剤
を含む、組成物。
【請求項３】
請求項２に記載の組成物であって、以下：
（ａ）約０．００１〜約５重量％の、非アミンポリエチレンオキシ含有物質であって、少なくとも約１８のＨＬＢ値を有する、物質；
（ｂ）コンタクトレンズ沈積物に対する清浄活性を有する、約０．００５〜約２重量％の第１の非イオン性界面活性剤；
（ｃ）コンタクトレンズ沈積物に対する清浄活性を有する、約０．００１〜約５重量％の第２の非イオン性界面活性剤；および
（ｄ）約０．１〜約１０重量％の湿潤剤
を含む、組成物。
【請求項４】
請求項１に記載の組成物であって、ここで、前記非アミンポリエチレンオキシ含有物質が、少なくとも約１８のＨＬＢ値を有する、ポロキサマー、エトキシル化グルコース誘導体、ソルビトールのエトキシル化非イオン性エーテル、およびグリセロールのエトキシル化非イオン性エーテルからなる群より選択される、少なくとも一員を含む、組成物。
【請求項５】
請求項４に記載の組成物であって、ここで、少なくとも約１８のＨＬＢ値を有する、前記非アミンポリエチレンオキシ含有物質が、エトキシル化グルコース誘導体を含む、組成物。
【請求項６】
請求項１に記載の組成物であって、ここで、コンタクトレンズ沈積物に対する清浄活性を有する前記第２の非イオン性界面活性剤が、１８未満のＨＬＢ値を有するポロキサマー、エトキシル化アルキルフェノール、ポリソルベートアルキルグルコシド、およびポリグルコシドからなる群より選択される、少なくとも一員を含む、組成物。
【請求項７】
請求項６に記載の組成物であって、ここで、前記第２の非イオン性界面活性剤がポリソルベート２０を含む、組成物。
【請求項８】
請求項１に記載の組成物であって、ここで、前記湿潤剤が、セルロース材料、ポリビニルアルコール、ポリビニルピロリドン、および、ペンダントアルキレンオキシド側鎖を有するシリコーンポリマーからなる群より選択される、少なくとも一員を含む、組成物。
【請求項９】
請求項８に記載の組成物であって、ここで、前記湿潤剤が、カチオン性セルロースポリマーを含む、組成物。
【請求項１０】
請求項１に記載の組成物であって、さらに緩衝剤または張度調整剤を含む、組成物。
【請求項１１】
請求項１に記載の組成物であって、ここで、該組成物の眼性刺激の潜在力が、該組成物で湿潤状態にあるコンタクトレンズが眼内に直接導入され得るほど十分低い、組成物。
【請求項１２】
請求項１に記載の組成物であって、以下：
（ａ）エトキシル化グルコース誘導体；
（ｂ）ポロキサミン；
（ｃ）ポリソルベート；
（ｄ）セルロース誘導体；
（ｅ）ホウ酸緩衝液；
（ｆ）ポリヘキサメチレンビグアニドまたはその塩；および
（ｇ）水
を含む、組成物。
【請求項１３】
コンタクトレンズを清浄および湿潤させる方法であって、該コンタクトレンズを：
（ａ）少なくとも約１８のＨＬＢ値を有する、非アミンポリエチレンオキシ含有物質；
（ｂ）ポロキサミンを含む、コンタクトレンズ沈積物に対する清浄活性を有する第１の非イオン性界面活性剤；
（ｃ）コンタクトレンズ沈積物に対する清浄活性を有し、かつ非ポロキサミン界面活性剤を含む、第２の非イオン性界面活性剤；および
（ｄ）湿潤剤
を含む水性組成物に曝すことを含む、方法。
【請求項１４】
請求項１３に記載の方法であって、ここで、前記非アミンポリエチレンオキシ含有物質が、ポロキサマー、エトキシル化グルコース誘導体、ソルビトールのエトキシル化非イオン性エーテル、および、少なくとも約１８のＨＬＢ値を有する、グリセロールのエトキシル化非イオン性エーテルからなる群より選択される、少なくとも一員を含む、方法。
【請求項１５】
請求項１３に記載の方法であって、ここで、コンタクトレンズ沈積物に対する清浄活性を有する前記第２の非イオン性界面活性剤が、約１８未満のＨＬＢ値を有するポロキサマー、エトキシル化アルキルフェノール、ポリソルベートアルキルグルコシド、およびポリグルコシドからなる群より選択される、少なくとも一員を含む、方法。
【請求項１６】
請求項１３に記載の方法であって、ここで、前記湿潤剤が、セルロース材料、ポリビニルアルコール、ポリビニルピロリドン、および、ペンダントアルキレンオキシド側鎖を有するシリコンポリマーからなる群より選択される、少なくとも一員を含む、方法。
【請求項１７】
請求項１３に記載の方法であって、ここで、前記組成物が：
（ａ）エトキシル化グルコース誘導体；
（ｂ）ポロキサミン；
（ｃ）ポリソルベート；
（ｄ）セルロース誘導体；
（ｅ）ホウ酸緩衝液；
（ｆ）ポリヘキサメチレンビグアニドまたはその塩；および
（ｇ）水
を含む、方法。
【請求項１８】
コンタクトレンズを清浄および湿潤させる方法であって、以下：
（ａ）該コンタクトレンズを第１の用量の水性組成物に曝し、該コンタクトレンズの夾雑物を除去する工程；そしてその後、
（ｂ）該コンタクトレンズを第２の用量の該組成物で処理し、眼内への挿入のために該コンタクトレンズの表面を湿潤させる工程
を含む、方法。
【請求項１９】
請求項１８に記載の方法であって、さらに、処理されたコンタクトレンズを直接眼内に挿入する工程を含む、方法。
【請求項２０】
コンタクトレンズを清浄、湿潤および消毒する方法であって、以下：
（Ａ）該コンタクトレンズを処理溶液に曝し、該コンタクトレンズより沈積物を取り除くことにより該コンタクトレンズを清浄する工程であって、該溶液が（ｉ）少なくとも約１８のＨＬＢ値を有する、非アミンポリエチレンオキシ含有物質；（ｉｉ）ポロキサミンを含む第１の非イオン性界面活性剤であって、コンタクトレンズ沈積物に対する清浄活性を有する薬剤；（ｉｉｉ）コンタクトレンズ沈積物に対する清浄活性を有し、かつ非ポロキサミン界面活性剤を含む、第２の非イオン性界面活性剤；（ｉｖ）湿潤剤；および（Ｖ）抗菌剤を含む、工程；
（Ｂ）該溶液中で該レンズを浸漬することにより該レンズを消毒し、そして湿潤させる、工程；および
（Ｃ）消毒されたレンズを、直接眼内に導入する工程
を含む、方法。
【発明の詳細な説明】
【０００１】
（発明の背景）
本発明は、コンタクトレンズの清浄および湿潤のための組成物に関する。
【０００２】
コンタクトレンズのケアレジメンは、第１の清浄剤として界面活性剤を含むコンタクトレンズ溶液を用いて、レンズを定期的に清浄するなどの、種々の機能を包含する。コンタクトレンズのすすぎ（リンス）は、一般に、遊離した屑を除去するために清浄後、推奨される。さらに、このレジメンは、レンズを消毒するための処理、眼に挿入する前にレンズ表面をより湿潤性にするための処理、または眼の中でレンズがより快適であるように、レンズ表面を調整（例えば、滑かにするか、または緩衝する）するための処理を含み得る。さらなる例として、コンタクトレンズ使用者は、装着中、眼に直接、一般に再湿潤点眼剤といわれる溶液を投与することにより、レンズを再湿潤する必要があり得る。
【０００３】
別々の溶液が、ケアレジメンの個々のセグメントについて提供され得る。簡便性のために、汎用性コンタクトレンズ溶液（例えば、ケアレジメンのいくつかのセグメントのために使用され得る溶液）が人気を博している。
【０００４】
コンタクトレンズを効果的に清浄し、そして眼へレンズを挿入する直前または眼にレンズが装着される間、レンズを処理するためにも使用され得る汎用性コンタクトレンズ溶液は、眼の組織に直接接触するので、開発するのが、より困難な汎用溶液を意味する。コンタクトレンズ沈積物に対する良好な清浄活性を有する従来の界面活性剤は、ならびに防腐剤または殺菌剤として含まれる抗菌剤のような種々の他の成分は、眼に対して刺激性である傾向にある。さらに、界面活性剤は、溶液の湿潤機能または調整機能を抑制してはならない。
【０００５】
米国特許第５，６０４，１８９号は、コンタクトレンズの清浄および湿潤のための汎用性組成物を開示し、この組成物は、少なくとも約１８の親水性親油性バランス（ＨＬＢ）を有するポリエチレンオキシド含有物質、およびコンタクトレンズ沈積物に対する清浄活性を有する界面活性剤を含む。この組成物は、効果的な清浄活性を提供し、これらはまた、レンズの湿潤表面において効果的である。さらに、この組成物は、所望の清浄を達成するが、眼に対して比較的非刺激性である。
【０００６】
好ましい実施形態に従い、この組成物（この組成物で処理されたコンタクトレンズが眼に直接挿入される）は、十分に非刺激性である（すなわち、レンズからこの組成物をすすぐ必要のない）か、またはこの組成物は、再湿潤溶液としての使用のために眼に直接投与され得る。この特許の表１６に開示され、ならびに登録商標「Ｓｉｍｐｌｉｃｉｔｙ」（Ｐｏｌｙｍｅｒ  Ｔｅｃｈｎｏｌｏｇｙ、Ｒｏｃｈｅｓｔｅｒ、Ｎｅｗ  Ｙｏｒｋ  ＵＳＡ）で販売されている型の組成物は、剛性のガス透過性（ＲＧＰ）コンタクトレンズを清浄、調整、湿潤および消毒するための汎用溶液として、商業的な成功を示している。
【０００７】
（発明の要旨）
本発明は、コンタクトレンズの清浄および湿潤のための水性組成物を提供し、この水性組成物は、以下を含む：
（ａ）少なくとも約１８のＨＬＢ値を有する、非アミンポリエチレンオキシ含有物質；
（ｂ）ポロキサミンを含む、コンタクトレンズ沈積物に対する清浄活性を有する第１の非イオン性界面活性剤；
（ｃ）非ポロキサミン界面活性剤を含む、コンタクトレンズ沈積物に対する清浄活性を有する第２の非イオン性界面活性剤；および
（ｄ）湿潤剤。
【０００８】
これらの組成物は、米国特許第５，６０４，１８９号の市販された組成物と比較して、改良された清浄、すなわち、コンタクトレンズ沈積物の改良された除去、および、眼へのより低い刺激を提供する。種々の好ましい実施形態において、この組成物は、コンタクトレンズの殺菌において効果的であり、さらに少量の抗菌剤を用い、従って眼の刺激の可能性をさらに軽減する。
【０００９】
（好ましい実施形態の詳細な説明）
本発明の組成物は、前述の成分（ａ）、（ｂ）、（ｃ）、および（ｄ）を含む、水性組成物である。成分（ａ）、（ｂ）、（ｃ）、および（ｄ）の各々は、互いに排他的であり、すなわち、これらの成分の各々は、異なる物質である。
【００１０】
第１の成分は、少なくとも約１８の親水性親油性バランス（ＨＬＢ）を有する非アミンポリエチレンオキシ含有物質である。これらの物質は、米国特許第５，６０４，１８９号に記載され、これらの開示は、本明細書中で参考として援用される。一般に、第１の清浄剤として使用される場合、このクラスの物質は、コンタクトレンズ沈積物に対する特に効果的な清浄剤ではない。しかし、これらの高ＨＬＢ物質は、界面活性剤および他の成分のような成分に起因する、この組成物の眼の刺激の可能性を軽減する。
【００１１】
ポリエチレングリコールまたはポリエチレンオキシのホモポリマーに加えて、少なくとも１８のＨＬＢ値を有する代表的なＰＥＯ含有物質としては、特定のポリエチレンオキシ−ポリプロピレンオキシブロックコポリマー（ポロキサマーとしても公知である）が挙げられる。このような物質は、商標名ＰｌｕｒｏｎｉｃでＢＡＳＦ  Ｃｏｒｐｏｒａｔｉｏｎ，Ｐａｒｓｉｐｐａｎｙ，Ｎ．Ｊ．，ＵＳＡから市販されており、そしてＰｌｕｒｏｎｉｃ  Ｙ１０８およびＦ１２７を含む。他に適切なＰＥＯ含有物質としては、エトキシ化グルコース誘導体（例えば、Ｇｌｕｃａｍ  Ｅ−２０（Ａｍｅｒｃｈｏｌ  Ｃｏｒｐ．，Ｅｄｉｓｏｎ，Ｎ．Ｊ．，ＵＳＡ）として入手可能な製品を含む、メチルｇｌｕｃｅｔｈ−２０）およびソルビトールまたはグリセロール性エーテルの高ＨＬＢエトキシル化非イオン（例えば、商標名Ｅｔｈｏｓｐｅｒｓｅ（Ｌｏｎｚａ  Ｉｎｃ．，Ｆａｉｒｌａｗｎ，Ｎ．Ｊ．，ＵＳＡ）で入手可能な製品（Ｅｔｈｏｓｐｅｒｓｅ  ＳＬ−２０として供給されるｓｏｒｂｅｔｈ−２０およびＥｔｈｏｓｐｅｒｓｅ  Ｇ−２６として供給されるｇｌｙｃｅｒｅｔｈ−２６を含む）が挙げられる。
【００１２】
代表的なＰＥＯ含有物質は、ＨＬＢ値および分子量と共に表Ａに列挙される。比較のために、少なくとも約１８のＨＬＢ値を有さない２つのＰＥＯ含有物質（ポリソルベートＴｗｅｅｎ  ２０およびポロキサマーＰｌｕｒｏｎｉｃ  Ｐ１０４）が含まれる。このＨＬＢ値および分子量は、製造業者により提供されるか、化学構造に基づいて計算もしくは推定された。
【００１３】
【表１】
2004526176.tif 000002
このＰＥＯ含有物質は、約０．００１〜約１０重量％、好ましくは約０．００１〜約５重量％で組成物に用いられ得る。
【００１４】
この組成物は、さらに、コンタクトレンズ沈積物に対する清浄活性を有する、少なくとも２つの非イオン性界面活性剤を含む。
【００１５】
コンタクトレンズ沈積物に対する清浄活性を有する第１の界面活性剤は、ポロキサミン界面活性剤を含む。これらの薬剤は、エチレンジアミンのポリエチレンオキシ−ポリプロピレンオキシブロックコポリマー付加物（例えば、ポロキサミン１１０７およびポロキサミン１３０８）である。これらの物質は、商標名ＴｅｔｒｏｎｉｃでＢＡＳＦ  Ｃｏｒｐ．から入手可能である。
【００１６】
コンタクトレンズ沈積物に対する清浄活性を有する第２の界面活性剤は、ポロキサミン以外の非イオン性界面活性剤を含む。このような非イオン界面活性剤は、特定のポリオキシエチレン、ポリオキシプロピレンブロックコポリマー（ポロキサマー）界面活性剤を含み、ＢＡＳＦ  Ｃｏｒｐ．から商品名Ｐｌｕｒｏｎｉｃとして入手可能な界面活性剤（例えば、Ｐｌｕｒｏｎｉｃ  Ｐ１０４またはＬ６４）が挙げられる。（高ＨＬＢ  ＰＥＯ含有物質とは対照的に、本発明の組成物において第１の清浄剤として使用され得るポロキサマーは、ＨＬＢ値が１８より小さく、一般的に約１２〜約１８である）。他の代表的な非イオン性界面活性剤としては、以下：エトキシ化アルキルフェノール（例えば、商標名Ｔｒｉｔｏｎ（Ｕｎｉｏｎ  Ｃａｒｂｉｄｅ，Ｔａｒｒｙｔｏｗｎ，Ｎ．Ｙ．，ＵＳＡ）およびＩｇｅｐａｌ（Ｒｈｏｎｅ−Ｐｏｕｌｅｎｃ，Ｃｒａｎｂｕｒｙ，Ｎ．Ｊ．ＵＳＡ）として入手可能な種々の界面活性剤）；ポリソルベート（例えば、商標名Ｔｗｅｅｎ（ＩＣＩ  Ａｍｅｒｉｃａｓ，Ｉｎｃ，Ｗｉｌｍｉｎｇｔｏｎ，Ｄｅｌ．，ＵＳＡ）として入手可能なポリソルベートの界面活性剤を含むポリソルベート２０）；ラウラミドおよびコカミドのＰＥＧ誘導体（例えば、商標名Ａｍｉｄｏｘ（Ｓｔｅｐａｎ  Ｃｏｍｐａｎｙ，Ｎｏｒｔｈｆｉｅｌｄ，ＩＩＩ．，ＵＳＡ）として入手可能なＰＥＧ−６ラウラミドおよびＰＥＧ−６コカミド）；およびアルキルグルコシドおよびポリグルコシド（例えば、商標名Ｐｌａｎｔａｒｅｎ（Ｈｅｎｋｅｌ  Ｃｏｒｐ．，Ｈｏｂｏｋｅｎ，Ｎ．Ｊ．ＵＳＡ）として入手可能な製品）が挙げられる。
【００１７】
コンタクトレンズ沈積物に対する清浄活性を有する、各々の第１および第２の界面活性剤は、組成物の約０．００１〜約５重量％、好ましくは約０．００５〜約２重量％で使用され得、約０．０１〜約０．１重量％が特に好ましい。
【００１８】
好ましい実施形態に従い、この組成物はさらに、湿潤剤を含む。いくつかの場合、高ＨＬＢ  ＰＥＯ含有成物が、この組成物の湿潤能に起因し得るが、追加の湿潤剤の含有が、この組成物が、これで処理されたコンタクトレンズを効果的に濡らすことを保証する。
【００１９】
代表的な湿潤剤としては、以下：セルロース物質（例えば、カチオン性セルロースポリマーのような、ヒドロキシプロピルメチルセルロース、ヒドロキシエチルセルロースおよびメチルセルロース；ポリビニルアルコール；およびポリビニルピロリドンが挙げられる。好ましいクラスの湿潤剤は、レンズ表面上のアニオン性領域に会合する能力を有するカチオン性セルロース物質（例えば、硬質気体透過性（ＲＧＰ）レンズ）であり、これは、物質の湿潤、およびレンズ表面の緩衝作用を促進する。このような物質としては、商標名Ｐｏｌｙｍｅｒ  ＪＲ−３０としてＵｎｉｏｎ  Ｃａｒｂｉｄｅから入手可能なｐｏｌｙｑｕａｔｅｒｎｉｕｍ−１０が挙げられる。他の湿潤剤としては、ペンダントアルキレンオキシド側鎖を有するシリコンポリマー、特に、Ｄｏｗ  Ｃｏｒｎｉｎｇ（登録商標）１９３（Ｄｏｗ  Ｃｏｒｎｉｎｇ，Ｍｉｄｌａｎｄ，Ｍｉｃｈ．，ＵＳＡ）として入手可能な製品、および４級化グアールガム（例えば、塩化グアールヒドロキシプロピルトロモニウム（ｇｕａｒ  ｈｙｄｒｏｘｙｐｒｏｐｙｌｔｒｍｏｎｉｕｍ  ｃｈｌｏｒｉｄｅ）および塩化ヒドロキシプロピルグアールヒドロキシプロピルトロモニウム（ｈｙｄｒｏｘｙｐｒｏｐｙｌ  ｇｕａｒ  ｈｙｄｒｏｘｙｐｒｏｐｙｌｔｒｍｏｎｉｕｍ  ｃｈｌｏｒｉｄｅ）、特に商標名Ｊａｇｕａｒ（Ｒｈｏｎｅ  Ｐｏｌｅｎｃ）に基づいて入手可能な製品が挙げられる。
【００２０】
これらの湿潤剤は、広範囲な濃度において使用され得、一般に約０．１〜約１０重量％で使用され得る。
【００２１】
この清浄組成物は、必要に応じて、組成物のｐＨを緩衝化するかまたは調整するための緩衝剤、および／またはこの組成物の張度を調整するための張度調整剤を含む。代表的な緩衝剤としては、以下：アルカリ金属塩（カリウムまたはナトリウムの炭酸塩、酢酸塩、ホウ酸塩、リン酸塩、クエン酸塩および水酸化物）；および酢酸、ホウ酸、およびリン酸のような弱酸が挙げられる。代表的な張度調整剤としては、以下；塩化ナトリウムおよび塩化カリウムおよび緩衝剤として列挙された物質が挙げられる。この張度調整剤は、所望された値に最終組成物の浸透圧値を調整するために有効な量で使用され得る。一般に、この緩衝剤および／または張度調整剤は約１０重量％まで含まれ得る。
【００２２】
好ましい実施形態によると、抗菌剤は、抗菌的に有効な量、すなわち組成物中の微生物の増殖を少なくとも阻害するために有効である量で組成物中に含まれる。好ましくは、この組成物は、これで処理されたコンタクトレンズを消毒するために用いられ得る。コンタクトレンズ溶液に有用であるとして当業者に公知である種々の抗菌剤としては、以下：クロルヘキシジングルコネートのようなクロルヘキシジン（１，１−ヘキサメチレン−ビス［５−（ｐ−クロロフェニル）ビグアニド］）またはそれらの水溶性の塩；ポリヘキサメチレンビグアニド（ヘキサメチレンビグアニドのポリマー、ポリアミノプロピルビグアニドともよばれる）またはそれらの水溶性の塩（例えば、商標名Ｃｏｓｍｏｃｉｌ  ＣＱ（ＩＣＩ  Ａｍｅｒｉｃａｓ  Ｉｎｃ．）として入手可能ポリヘキサメチレンビグアニドヒドロクロリド）；ベンズアルコニウムクロリド；およびポリマー性４級アンモニウム塩が挙げられる。存在する場合、この抗菌剤は、特定の薬剤に依存して、０．００００１〜約５重量％で含まれ得る。
【００２３】
好ましい緩衝液および抗菌薬システムは、ホウ酸緩衝液およびポリヘキサメチレンビグアニド（ＰＨＭＢ）に基づいている。この好ましい実施形態に従って、ＰＨＭＢは、５ｐｐｍを越えない量、好ましくは３ｐｐｍを越えない量で、単独の抗菌薬として使用され得る。ＰＨＭＢは相対的に低い眼性刺激作用の潜在力を有し、そしてホウ酸緩衝液を使用することにより、ＰＨＭＢの量は、適切な抗菌作用を維持したままで、眼性刺激作用の潜在力をさらに緩和させるように最小限に抑えられ得る。
【００２４】
この組成物は、最大約２．０重量％まで存在し得る、金属イオン封鎖剤（またはキレート剤）をさらに含み得る。金属イオン封鎖剤の好ましい例としては、エチレンジアミン四酢酸（ＥＤＴＡ）およびその塩が挙げられ、二ナトリウム塩（二ナトリウムエデト酸塩）が特に好ましい。
【００２５】
この組成物は、ハードコンタクトレンズ、およびソフトコンタクトレンズに対して有用である。ハードレンズには、ポリメチルメタクリレートレンズ、および、シリコンポリマーまたはフッ化シリコンポリマーより作られる、剛性のガス透過性（ＲＧＰ）レンズが挙げれる。ソフトコンタクトレンズには、親水性のヒドロゲルレンズが挙げられる。
【００２６】
レンズを清浄（ｃｌｅａｎｉｎｇ）組成物に曝すことにより、好ましくはそのレンズをこの組成物中に浸し、次いで攪拌することにより（例えば、レンズ表面上にその組成物を擦りつけることにより）、コンタクトレンズを清浄する。次いで、レンズをリンスして夾雑物と一緒になった組成物を除去する。本発明と同じ組成物が、レンズをリンスするために使用され得、またあるいは、別のリンス溶液が使用され得る。
【００２７】
本発明の組成物がレンズのリンスに使用される場合、この組成物は普通はレンズ表面を適切に湿潤させる。次いで、組成物の低刺激性の潜在力に起因して、レンズは眼に直接導入される。あるいは、レンズ表面の適切な湿潤を確実にするために、レンズをその組成物中に十分な時間浸漬することのように、清浄されたレンズは、その後その組成物を用いて処理され得る。抗菌剤を含む組成物を用いてレンズを処理する場合、レンズを殺菌するために十分な時間、浸漬することが好ましく、その場合、その組成物は、レンズの清浄、殺菌および湿潤のために使用される。次いで、レンズからその組成物をさらにリンスすることなく、処理されたレンズを眼に直接導入し得る。
【００２８】
この組成物は、個々の成分を水に添加することにより調製される。代表的な方法は以下である。塩、緩衝液および湿潤剤を、予め測定し、加熱した第１バッチの水に攪拌しながら添加し、そして冷却の後、この混合物を濾過および滅菌する。抗菌剤は、典型的に別バッチの予め測定した水に添加される。そのＰＥＯ含有物質および界面活性剤を予め定量した別バッチの水に攪拌しながら添加し、次いでこの混合物を濾過および滅菌する。あるいは、これら後者の薬剤が加熱滅菌に対して安定である場合、その薬剤は第１相に直接添加され得る。最終的に、この混合物は攪拌しながら組み合わされる。
【００２９】
以下の実施例は種々の好ましい実施形態を例示し、成分は重量パーセントにより列挙される。
【００３０】
【表２】
2004526176.tif 000003
【００３１】
【表３】
2004526176.tif 000004
（清浄有効性の評価）
市販の多目的溶液（ＢＯＳＴＯＮ  ＳＩＭＰＬＩＣＩＴＹ溶液）と比較して、実施例１および実施例２に列挙した組成物を含む処方物の清浄効果を評価するために、研究を実施した。フッ化シリコーンアクリレートの剛性のガス透過性レンズ（ＲＧＰ）コンタクトレンズ（ＱＵＡＮＴＵＭ  Ｉ  物質、Ｐｏｌｙｍｅｒ  Ｔｅｃｈｎｏｌｏｇｙ）に人工的にタンパク質および脂質の混合物を沈積させた。沈積後、各々のレンズ表面上の沈積物被覆度を測定するために、強化されたコンピューター画像分析により、これらのレンズを分析した。次いで、ＢＯＳＴＯＮ  ＳＩＭＰＬＩＣＩＴＹ溶液に添付される、患者の手引き書に従って、レンズを試験溶液を用いて擦りつけること、およびリンスすることにより、そのレンズを清浄し、次いで試験溶液中に４時間浸漬した。清浄後、こららのレンズを再度画像処理し、そして除去された沈積物のパーセンテージを計算した。結果を以下の表に列挙する：
【００３２】
【表４】
2004526176.tif 000005
コンタクトレンズを清浄することに加え、実施例１および実施例２の組成物は、これらの組成物を用いて処理されるコンタクトレンズの湿潤、調整および殺菌に効果的である。
【００３３】
以下の実施例は、本発明に従う、組成物のさらなる実施形態を例示する。
【００３４】
【表５】
2004526176.tif 000006
種々の好ましい実施形態が例示されているが、本発明の多くの他の調整および改変が当業者に実施可能である。従って、特許請求の範囲の範囲内で、本発明が本明細書中に具体的に記載される以外に別に実施され得ることが理解される。
【国際公開パンフレット】
2004526176.tif 000007
2004526176.tif 000008
2004526176.tif 000009
2004526176.tif 000010
2004526176.tif 000011
2004526176.tif 000012
2004526176.tif 000013
2004526176.tif 000014
2004526176.tif 000015
2004526176.tif 000016
2004526176.tif 000017
2004526176.tif 000018
2004526176.tif 000019
2004526176.tif 000020
2004526176.tif 000021
【国際調査報告】
2004526176.tif 000022
2004526176.tif 000023
2004526176.tif 000024